(57)【要約】 【課題】  紫外線殺菌ランプが捕集されるごみ等によって汚れたり、破損するのを防ぐことができ、かつごみ収集筒内部の紫外線殺菌をより効率的に行うことができるよう改善された構造を有する真空掃除機の紫外線透過窓を有するごみ収集筒及びそれを備えた真空掃除機を提供すること。【解決手段】  本発明によるごみ収集筒は、真空掃除機本体に着脱自在に設けられるごみ収集筒ボディと、ごみ収集筒ボディに貫通形成される紫外線透過窓と、紫外線透過窓を密閉するテフロンカバーとを備えており、それを備えた真空掃除機は、真空掃除機本体と、本体に着脱自在に設けられるごみ収集筒と、本体内部に設けられ、ごみ収集筒に紫外線を照射する紫外線殺菌ランプと、紫外線殺菌ランプを保護するグリルとを備え、ごみ収集筒の構成は前記した構造と同一である。【選択図】      図４
2006231030.tif 000002
【特許請求の範囲】
【請求項１】
真空掃除機本体に着脱自在に設けられるごみ収集筒ボディと、
前記ごみ収集筒ボディに貫通形成された紫外線透過窓と、
前記紫外線透過窓を密閉する四フッ化エチレン樹脂カバーと、を備えることを特徴とする真空掃除機のごみ収集筒。
【請求項２】
前記紫外線透過窓の周縁には、複数の結合突起が突出形成され、
前記四フッ化エチレン樹脂カバーには、前記複数の結合突起と対応する形状の結合孔が形成されることを特徴とする請求項１に記載の真空掃除機のごみ収集筒。
【請求項３】
前記結合突起は、少なくとも２列以上で構成され、対面する面が互いに交差して配置された角柱形状に設けられることを特徴とする請求項２に記載の真空掃除機のごみ収集筒。
【請求項４】
前記四フッ化エチレン樹脂カバーは、前記結合孔を通過した複数の結合突起の先端を高温／高圧で圧着し固定されることを特徴とする請求項２に記載の真空掃除機のごみ収集筒。
【請求項５】
前記紫外線透過窓は、ごみ収集筒の上方に向けて所定の角度で傾斜して、凹溝部を形成することを特徴とする請求項１に記載の真空掃除機のごみ収集筒。
【請求項６】
前記四フッ化エチレン樹脂カバーは、透明材質で形成されることを特徴とする請求項１に記載の真空掃除機のごみ収集筒。
【請求項７】
真空掃除機本体と、
前記本体に着脱自在に設けられるごみ収集筒と、
前記本体内部に設けられ、前記ごみ収集筒に紫外線を照射する紫外線殺菌ランプと、
前記紫外線殺菌ランプを保護するグリルと、を備えており、
前記ごみ収集筒は、前記紫外線殺菌ランプと対面する面に設けられる紫外線透過窓と、
前記紫外線透過窓を密閉する透明四フッ化エチレン樹脂カバーと、を備えることを特徴とする真空掃除機。
【請求項８】
前記紫外線殺菌ランプ及びグリルは、前記ごみ収集筒の長手方向に対し所定角度の傾きを有するよう設けられることを特徴とする請求項７に記載の真空掃除機。
【発明の詳細な説明】
【技術分野】
【０００１】
本発明は、紫外線透過窓を有するごみ収集筒及びそれを備えた真空掃除機に関し、より詳しくは、ごみ等を捕集したごみ収集筒を殺菌できる紫外線殺菌ランプを有する真空掃除機の紫外線透過窓を有するごみ収集筒及びそれを備えた真空掃除機に関する。
【背景技術】
【０００２】
一般に、真空掃除機は、掃除機本体に設けられた真空吸入手段によって発生した負圧を利用して、被掃除面のごみ等を周辺の空気と共に吸入及び捕集する。ところが、近来、健康に対する関心が高まる中で、ごみ等を捕集する機能に加えてごみ収集筒に捕集されたごみ等に存在し得る細菌までも殺菌できるように、掃除機本体に紫外線殺菌ランプを設ける技術が提示されている。
【０００３】
このような技術として、韓国登録特許１０−０２３２５３６号には、集塵袋内のダニや虫等を死滅できるよう紫外線殺菌ランプを設けると共に、前記紫外線殺菌ランプ設置部の前面に、紫外線殺菌ランプの方に異物が入らないように透明石英ガラス板を設けた構造が開示されている。
【０００４】
しかし、集塵袋のようなごみ等が捕集される空間内部に紫外線殺菌ランプを設けると、石英ガラス板により異物の流入は遮断されるが、捕集されたごみ等によって前記石英ガラス板が汚れやすい。このように、石英ガラス板が汚れてしまうと、紫外線殺菌ランプから発生した紫外線が殺菌を必要とする集塵袋内部に伝達されないため、殺菌が行われないという問題点がある。また、紫外線殺菌ランプを保護する石英ガラス板が常にごみ等に露出されているため、大きいごみ等によって石英ガラス板及び紫外線ランプが破損される恐れもある。
【特許文献１】韓国登録特許１０−０２３２５３６号
【発明の開示】
【発明が解決しようとする課題】
【０００５】
本発明は、前記のような問題点を解決するためになされたものであって、その目的は、紫外線殺菌ランプが捕集されるごみ等によって汚れたり、破損することを防ぐことができ、かつごみ収集筒内部の紫外線殺菌をより効率的に行うことができるよう改善された構造の真空掃除機の紫外線透過窓を有するごみ収集筒及びそれを備えた真空掃除機を提供することにある。
【課題を解決するための手段】
【０００６】
前記目的を達成するための本発明に係る真空掃除機のごみ収集筒は、真空掃除機本体に着脱自在に設けられるごみ収集筒ボディと、前記ごみ収集筒ボディに貫通形成された紫外線透過窓と、前記紫外線透過窓を密閉するテフロン（イー  アイ  デュポン  ドゥ  ヌムール  アンド  カンパニーの登録商標）カバーと、を備えることを特徴とする。
【０００７】
本発明の好適な実施形態によれば、前記紫外線透過窓の周縁には複数の結合突起が突出形成され、前記テフロンカバーには前記複数の結合突起と対応する形状の結合孔が形成されることが好ましい。
【０００８】
前記結合突起は、少なくとも２列以上で構成され、対面する面が互いに交差して配置された角柱形状に設けられる。
【０００９】
前記テフロンカバーは、透明材質で形成され、前記結合孔を通過した複数の結合突起の先端を高温／高圧で圧着し固定されることが好ましい。
【００１０】
前記紫外線透過窓は、ごみ収集筒の上方に向けて所定の角度で傾斜して、凹溝部を形成することが好ましい。
【００１１】
一方、本発明に係る真空掃除機は、真空掃除機本体と、前記本体に着脱自在に設けられるごみ収集筒と、前記本体内部に設けられ前記ごみ収集筒に紫外線を照射する紫外線殺菌ランプと、前記紫外線殺菌ランプを保護するグリルとを備えており、前記ごみ収集筒は、前記紫外線殺菌ランプと対面する面に形成される紫外線透過窓と、前記紫外線透過窓を密閉する透明テフロンカバーとを備えることを特徴とする。
【００１２】
好ましくは、前記紫外線殺菌ランプ及びグリルは、前記ごみ収集筒の長手方向に対し所定角度の傾きを有するよう設けられる。
【発明の効果】
【００１３】
本発明によれば、紫外線殺菌ランプがごみ収集筒の外部に設けられるため、ごみ収集筒に捕集されたごみ等によって紫外線ランプが汚れたり、破損することを防ぐことができる。  
【００１４】
また、付随的な効果として、ごみ収集筒が密閉された状態で掃除機本体に装着されるため、紫外線殺菌ランプをごみ収集筒内部に設ける場合に生じ得る圧力損失及びごみ等の漏れを防ぐことができる。
【発明を実施するための最良の形態】
【００１５】
以下、本発明の好適な実施形態による真空掃除機の紫外線透過窓を有するごみ収集筒及びそれを備えた真空掃除機について添付の図面に基づいて説明する。
【００１６】
図１に示すように、本発明に係る真空掃除機１００は、掃除機本体１１０と、吸入ブラシ１２０及びごみ収集筒１３０を備える。
【００１７】
掃除機本体１１０は、真空吸入手段（図示せず）と共に、吸入ブラシ１２０から吸入されたごみ等が含まれている空気からごみ等を分離する集塵ユニットを備える。
【００１８】
また、図２に示すように、ごみ収集筒１３０と向かい合う掃除機本体１１０の内部には、ごみ収集筒１３０に捕集されたごみ等に含まれている細菌を殺菌する紫外線殺菌ランプ１１１と、紫外線殺菌ランプ１１１の破損を防ぐグリル１１３が設けられる。
【００１９】
図３に示すように、紫外線殺菌ランプ１１１とグリル１１３は、ごみ収集筒１３０の長手方向に対し所定の角度（α）で傾斜し設けられる。好ましくは、該角度（α）は約１５度前後であることが良い。このように、紫外線殺菌ランプ１１１及びグリル１１３を傾斜した状態に設置するのは、紫外線殺菌ランプ１１１から照射された紫外線がごみ収集筒１３０内部に均等に照射されるようにするためである。
【００２０】
図２及び図４に示すように、ごみ収集筒１３０はごみ収集筒ボディ１３１と紫外線透過窓１３２及びテフロンカバー１３３を備える。
【００２１】
ごみ収集筒ボディ１３１は、集塵装置（図示せず）から分離されたごみ等が流入するよう開放された上部面を有し、その内部に形成された空間部にごみ等を捕集する。
【００２２】
紫外線透過窓１３２は、ごみ収集筒ボディ１３１の紫外線殺菌ランプ１１１と対面する位置に貫通形成され、ごみ収集筒１３０の上方に向けて所定の角度（β）で傾斜した凹溝部１３５（図４参照）を設ける。前記角度（β）は、約１０度前後であることが好ましい。このように、紫外線透過窓１３２をごみ収集筒ボディ１３１内部に向けて凹んだ形状に構成するのは、紫外線殺菌ランプ１１１から照射される紫外線の移動距離を最短に抑えるためである。即ち、紫外線透過窓１３２がごみ収集筒１３０の内側に向けて凹んで設けられているため、紫外線殺菌ランプ１１１から発生した紫外線がごみ収集筒１３０の底面または内側壁面から最も近接した位置に配置される。このように、紫外線殺菌ランプ１１１の設置位置を設定することにより、紫外線殺菌ランプ１１１をごみ収集筒１３０内部に設けるのと類似する効果を有し、紫外線の移動距離が減少して、より強い紫外線がごみ収集筒１３０内部に分散され殺菌力が向上する。
【００２３】
テフロンカバー１３３は、紫外線透過窓１３２を密閉して、ごみ収集筒１３０内部の気密性を維持する。テフロンを用いて紫外線透過窓１３２を密閉する理由は、テフロンの物理的特性のためである。テフロンは、他の物質との親和力が極めて低く、ホコリが表面に吸着し難いので、常に清潔な状態を維持する。また、紫外線透過率が優れているので、紫外線殺菌ランプ１１１から照射される紫外線をごみ収集筒１３０内部に通過させることができる。しかし、このようなテフロンの性質のため、一般樹脂材質であるごみ収集筒１３０と共に成型したり、ボンドで接着するような一般の方法では結合が不可能である。
【００２４】
以下、テフロンカバー１３３の結合方法について図面に基づいて説明する。
【００２５】
図４に示すように、紫外線透過窓１３２の周縁には、複数の結合突起１３２ａが突出形成され、テフロンカバー１３３には、複数の結合突起１３２ａと対応する形状の結合孔１３３ａが形成される。結合突起１３２ａは、少なくとも２列以上で構成され、対面する面が互いに交差して配置された角柱形状に設けられる。従って、テフロンカバー１３３は、図５に示すように、複数の結合突起１３２ａに嵌合されて紫外線透過窓１３２と密着する位置で結合される。
【００２６】
図５の断面図に示すように、結合孔１３３ａを貫通した結合突起１３２ａの先端を高温／高圧を加えて変形させ、テフロンカバー１３３を前記設置位置に固定する。このように、複数の結合突起１３２ａを対面する面が互いに交差するよう配置すると、それぞれの面が隙間を防ぐ壁（ｗａｌｌ）の役割をするので、ガスケットのような別の密封部材を使用しなくても、ごみ収集筒１３０の気密性を確保することができる。
【００２７】
一方、紫外線透過性に優れたテフロン樹脂の物理的特性上、テフロンカバー１３３が必ずしも透明に形成される必要はない。しかし、ユーザが肉眼でごみ収集筒１３０の内部を観察できるよう透明部材で形成することが好ましい。
【００２８】
このように、紫外線殺菌ランプ１１１がごみ収集筒１３０から分離された真空掃除機本体１１０内部に設けられているため、ごみ収集筒１３０の気密性が維持でき、捕集されるごみ等によって紫外線殺菌ランプ１１１が汚れたり、流入されるごみ等と衝突し紫外線殺菌ランプ１１１が破損する恐れがない。
【００２９】
また、テフロンカバー１３３は、ホコリ等で汚れ難いので、ごみ収集筒１３０の内部に照射される紫外線の透過効率が常に一定水準以上を維持することができる。
【００３０】
前記では、アップライト型掃除機の一例を通じて添付の図面に基づいて本発明を説明したが、本発明は、上述した特定の実施形態に限定されるものではなく、類似する構造としてごみ収集筒を備えたキャニスタ型真空掃除機にも適用可能である。
【００３１】
以上では、本発明の好適な実施形態について図示し説明したが、本発明は、上述した特定の実施形態に限定されるものではなく、特許請求の範囲で請求している本発明の要旨を逸脱することなく、当該発明の属する技術分野における通常の知識を有する者であれば誰でも種々の変更実施が可能であることはもとより、そのような変更は、本発明の特許請求の範囲に含まれることは自明である。
【図面の簡単な説明】
【００３２】
【図１】本発明による真空掃除機の斜視図である。
【図２】図１に示す紫外線殺菌ランプ及びごみ収集筒を拡大して示す断面図である。
【図３】図２に示す紫外線殺菌ランプを抜粋して示す図である。
【図４】本発明によるごみ収集筒を示す斜視図である。
【図５】テフロンカバーの結合を示すごみ収集筒の断面図である。
【符号の説明】
【００３３】
１００    真空掃除機
１１０    掃除機本体
１１１    紫外線殺菌ランプ
１２０    吸入ブラシ
１３０    ごみ収集筒
１３１    ごみ収集筒ボディ
１３２    紫外線透過窓
１３２ａ  結合突起
１３３    テフロンカバー
１３３ａ  結合孔
【図１】
2006231030.tif 000003
【図２】
2006231030.tif 000004
【図３】
2006231030.tif 000005
【図４】
2006231030.tif 000006
【図５】
2006231030.tif 000007